(57)【要約】ＰＤＡと、ＰＣ又は車載システム等のコンピュータ装置との間のインターフェースは、ＰＤＡの作動にアクセスし且つ制御するためにコンピュータ装置のより良好なユーザインターフェースをユーザに使用させる。
2010530572.tif 000002
【特許請求の範囲】
【請求項１】
移動装置にアクセスする方法であって、
コンピュータ装置と前記移動装置との間の接続を確立するステップと、
前記コンピュータ装置を使用して前記移動装置上の情報にアクセスするステップと、
前記コンピュータ装置を使用して前記移動装置の作動を制御するステップと
を含む方法。
【請求項２】
前記コンピュータ装置を使用して前記移動装置上の情報を修正するステップをさらに含む、請求項１に記載の方法。
【請求項３】
前記コンピュータ装置上に前記情報を表示するステップと、
前記移動装置から前記情報を送信するステップと
をさらに含む、請求項１に記載の方法。
【請求項４】
前記コンピュータ装置にユーザ入力装置の信号を送信するための前記コンピュータ装置上のユーザ入力装置を使用して、あたかも前記ユーザ入力装置が前記移動装置のユーザ入力装置であるかのように、前記移動装置上の前記情報を修正するステップ
をさらに含む、請求項１に記載の方法。
【請求項５】
前記コンピュータ装置にユーザ入力装置の信号を送信するための前記コンピュータ装置上のユーザ入力装置を使用して、あたかも前記ユーザ入力装置が前記移動装置のユーザ入力装置であるかのように、前記移動装置の作動を制御するステップ
をさらに含む、請求項１に記載の方法。
【請求項６】
前記コンピュータ装置が車載システムである、請求項５に記載の方法。
【請求項７】
前記移動装置のユーザインターフェースよりも高い解像度のユーザインターフェースの前記コンピュータ装置上で前記情報を表示するステップをさらに含む、請求項１に記載の方法。
【請求項８】
あたかも前記移動装置のディスプレイであるかのように、前記情報が前記コンピュータ装置上で表示される、請求項７に記載の方法。
【請求項９】
前記コンピュータ装置が車載システムである、請求項８に記載の方法。
【請求項１０】
前記ディスプレイが車両に取り付けられる、請求項１に記載の方法。
【請求項１１】
前記移動装置は、前記コンピュータ装置の入力装置から入力装置の信号を受信するＣＰＵを有し、前記ＣＰＵが前記入力装置の信号によって制御される、請求項１に記載の方法。
【請求項１２】
前記コンピュータ装置が、前記コンピュータ装置上のユーザ入力装置からの入力に基づいてＥメールを作成し且つ送信するために前記移動装置を制御する、請求項１に記載の方法。
【請求項１３】
プロセッサによって実行されると、
移動装置との接続を確立するステップと、
前記移動装置上の情報にアクセスするステップと、
前記移動装置の作動を制御するステップと
を実行する命令を記憶する、コンピュータ可読媒体。
【請求項１４】
前記プロセスによって実行されると、前記移動装置上の前記情報を修正する命令をさらに含む、請求項１３に記載のコンピュータ可読媒体。
【請求項１５】
前記プロセスによって実行されると、
前記情報を前記プロセッサと関連付けられ且つ前記プロセッサにローカルなディスプレイに表示するステップと、
前記移動装置から前記情報を受信するステップと
を実行する命令をさらに含む、請求項１３に記載のコンピュータ可読媒体。
【請求項１６】
前記プロセスによって実行されると、
ユーザ入力装置の入力信号を受信するステップと、
前記ユーザ入力信号を前記移動装置に送信するステップと
を実行する命令をさらに含む、請求項１３に記載のコンピュータ可読媒体。
【請求項１７】
前記プロセスによって実行されると、ユーザ入力装置からの入力に基づいてＥメールを作成し且つ送信するために前記移動装置を制御するステップを実行する命令をさらに含む、請求項１３に記載のコンピュータ可読媒体。
【発明の詳細な説明】
【技術分野】
【０００１】
本願は、インターフェース接続されるＰＤＡのアプリケーションを直接制御するホストに関する。
【背景技術】
【０００２】
本願は、２００７年７月７日に提出された米国仮出願第６０／９４２，５０５号への優先権を主張する。
【０００３】
「スマートホン」のような移動可能なＥメール／連絡先／カレンダ装置、無線使用可能ＰＤＡ等（集合的に「ＰＤＡ」と呼ばれる）は、旅行中に、会談で及び路上で人々が接続を維持するための好都合な方法である。Ｅメール、連絡先及びカレンダのエントリは、ＰＤＡにキャッシュされ、且つ無線接続を介してサーバと同期される。ユーザは、Ｅメールを送信及び受信し、連絡先を更新し、且つカレンダの約束を追加又は変更することができ、この更新は、サーバに記憶される。しかし、ＰＤＡにはいくつかの制限がある。制限のあるキーボード及びディスプレイは、大きなＥメール又は他の文書を作成することを困難にする。ＰＤＡは、全ての種類の文書、特により大きな又はより複雑な文書を開くことができない場合が多い。
【発明の概要】
【０００４】
本発明は、ＰＤＡと、例えばＰＣ又は車載システム等のコンピュータ装置との間のインターフェースを提供する。このインターフェースは、ＰＤＡの作動にアクセスし且つ制御するためにコンピュータ装置のより良好なユーザインターフェースをユーザに使用させる。
【図面の簡単な説明】
【０００５】
【図１】本願のインターフェースを使用するラップトップコンピュータ装置と通信するＰＤＡを例示する。
【図２】本願のインターフェースを使用する車載コンピュータシステムと通信するＰＤＡを例示する。
【図３】図１及び図２のインターフェースの概略図である。
【発明を実施するための形態】
【０００６】
図１を参照すると、ＰＣ１０ａは、ＰＤＡ１２のものより大きなキーボード１４ａ及びディスプレイ１６ａを有する。ＰＣ１０ａは、プロセッサ、メモリ、記憶装置（例えばハードドライブ又は他の電子、光学、磁気若しくは他の大容量記憶装置）を備える汎用コンピュータである。また、ＰＣ１０ａは一般的には、より強力なプロセッサ及びより多くのメモリ及び記憶装置を有する。ラップトップ又はノートブックコンピュータが示されているが、ＰＣ１０ａはまた、デスクトップコンピュータであってもよい。
【０００７】
ＰＤＡ１２は、無線接続を備える「スマートホン」又はＰＤＡである。この文脈において、「ＰＤＡ」は、少なくともプロセッサ、ローカル記憶装置、ローカル無線接続（例えば、Ｂｌｕｅｔｏｏｔｈ又は類似のもの）及び携帯電話の基地局若しくは衛星又はいくつかの他のワイドエリアネットワークを介した無線データ接続を有する移動装置を意味する。ＰＤＡ１２はまた、音声無線接続（すなわち、電話機能）を提供してもよく、且つディスプレイ及びユーザ入力装置（例えば電話キー又はミニキーボード又は画面上のソフトキー等）を有してもよい。
【０００８】
本発明では、互いに無線で（Ｂｌｕｅｔｏｏｔｈ、ＷｉＦｉ、又は他の適切なプロトコル、好ましくはセキュアな）通信をするために、ソフトウェアがＰＣ１０ａ及びＰＤＡ１２にインストールされる。代替的に、又は選択的に、それらはより増大した速度及びセキュリティのために、例えばＵＳＢケーブル等のワイヤを介して接続され得る。ＰＤＡのソフトウェアは、ＰＣのソフトウェアと接続して、ＰＣ１０ａにＰＤＡ１２の情報へのリアルタイムのアクセスを提供するであろう。それはまた、ＰＤＡの活動を監視し、且つＰＤＡ１２に到着する新しいＥメールメッセージ、カレンダのイベント、ｓｍｓ、電話呼び出し（発呼者ｉｄを有する）等をＰＣのソフトウェアに警告するであろう。ＰＣ１０ａのソフトウェアは、ＰＤＡ１２のコンテンツへのユーザインターフェースを提供し、且つＰＣ１０ａに存在するユーザフレンドリなインターフェースを介して警告するであろう。ユーザは、送信、受信されたＥメール、ｓｍｓ、電話呼び出し等を含むＰＤＡ１２の情報コンテンツのリアルタイム画像を見ることができるであろう。
【０００９】
例えば、ＰＤＡに到着する新しいＥメールは、ＰＣ１０ａのソフトウェアのインターフェースに即座に現れるであろう。ユーザは、ＰＤＡ１２に存在する以前に受信したＥメールと共に、ＰＣ１０ａを使用して新しいＥメールを開くことができる。ユーザはまた、添付ファイルを開き且つ操作するために、ＰＣ１０ａに存在するソフトウェア（Ｍｉｃｒｏｓｏｆｔ  Ｏｆｆｉｃｅ、ＰｏｗｅｒＰｏｉｎｔ、Ｗｏｒｄ、Ａｃｒｏｂａｔ等）を使用して任意の添付ファイルを開くことができる。ユーザは、ＰＣ１０ａを使用してＥメールに応答することができ、且つＰＣ１０ａから文書を添付することができる。全ての活動の結果は、ＰＤＡ１２上にリアルタイムで反映され且つ実行される。このようにしてＰＤＡ１２は、あたかもＰＤＡ１２で開始されたかのように応答を実行するであろう。例えば、新しいＥメールがＰＤＡ１２に到着するとすぐに、ＥメールのコピーがＰＣ１０ａのソフトウェアに即座に現れる。ユーザは、ＰＤＡ１２よりもむしろＰＣ１０ａのより大きなディスプレイ及びキーボードを使用して、Ｅメール及び添付ファイル（ある場合）を開き、且つＥメールに応答することができる。
【００１０】
ＰＣ１０ａのソフトウェアは、ユーザの応答をＰＤＡ１２に伝えるであろう。ＰＤＡ１２は、今度は、その無線モジュールを使用してあたかもＰＤＡ１２内から開始されたかのように応答を送信し、且つ送信された応答としてそのメールボックスの活動にそれを記録するであろう。同様に、ユーザは、受信者（新しい連絡先又はＰＤＡ１２の連絡先リストからの連絡先）への新しいメッセージをＰＣ１０ａのソフトウェアで開始することができる。ユーザは、ＰＣ１０ａに存在するソフトウェアアプリケーションを使用してメッセージ、及び／又は添付ファイルを作成し、且つ送信を押すことができる。送信コマンドにより、Ｅメールを送信し且つそのメールボックスのファイル構造上で送信されたメッセージとしてメッセージを記録するＰＤＡ１２へとメッセージは伝えられるであろう。
【００１１】
ユーザはまた、ＰＣのソフトウェアを使用して連絡先リスト上の人物へのｓｍｓメッセージ（又は類似のメッセージ形式）を作成することができ、且つｓｍｓメッセージに応答することができる。新しい呼び出しがＰＤＡ１２に到着すると、発呼者ｉｄがＰＣ１０ａのディスプレイ１６ａに表示される。ユーザは、ＰＤＡに存在するウェブブラウザを実行し、且つウェブを閲覧するためにより大きなディスプレイ１６ａを使用することができる。
【００１２】
本発明を用いると、ＰＣ１０ａは、インターネット接続又はインターネットへのｗｉｆｉ接続を有する必要がない。それはただ、ＰＤＡ１２への無線又は有線の接続を有する必要があるだけである。ユーザは、ＰＤＡ１２の無線接続を享受し、且つ同時に自身のＰＣ１０ａのために別の無線サービスに対して支払う必要なしに、より大きなＰＣディスプレイ１６ａ、キーボード１４ａ、及びＰＣに存在するソフトウェアアプリケーションを利用することができる。
【００１３】
第１のモードの作動では、ＰＤＡ１２上の情報（連絡先、カレンダ、Ｅメール、ｍｐ３のようなメディアファイル、ｍｐｅｇ等）が、ディスプレイ１６ａでユーザが再検討するために且つ／又はキーボード１４ａ（及び／又はマウス若しくは他の入力装置）で修正するためにＰＣ１０ａによる要求通りにＰＣ１０ａに送信される。例えば、ＰＣ１０ａにより要求されたとき、ＰＤＡ１２はユーザの受信トレイの中にあるＥメールのリストを送信し、且つＥメールの１つがユーザによって選択されて初めて（ＰＣ１０ａ上のユーザ入力装置を介して）、そのＥメールはＰＣ１０ａに送信される。しかし、ＥメールはＰＣ１０ａでユーザにより修正され又は転送され又は返答され、修正されたＥメール（又は転送若しくは返答された）は、ＰＤＡ１２に送信され、且つＰＤＡ１２の関連プログラムから実際に送信され、その結果、全ての意図、目的及び外観に関してＥメールはＰＤＡ１２により送信されたことになる。
【００１４】
第２のモードの作動では、ＰＣ１０ａが、ＰＤＡ１２に対する「ダム」端末としてのみ動作する。ＰＣ１０ａは、ディスプレイ１６ａに表示するための情報をＰＤＡ１２から受信し、且つＰＣ１０ａは、ＰＤＡ１２のプロセッサによって処理されるために、ユーザ入力をキーボード１４ａ（又は他のユーザ入力装置）からＰＤＡ１２に直接的に送信する。このモードにおいて、ＰＣ１０ａにはそれが全く記憶されないので、ユーザの情報はより安全である。しかし、ユーザは、ＰＣ１０ａのより増大した処理能力の利点を享受しない。これは、公衆のＰＣ１０ａ又は他人のＰＣ１０ａを使用する場合に適切であろう。
【００１５】
好ましくは、所与の状況において適切なように、ＰＤＡ１２で第１のモード又は第２のモードを選択することができる。自身のＰＣ１０ａで作業する場合、ユーザは、より増加した能力及び速度のために第１のモードで作業することができ、且つ自身が所有しないＰＣ１０ａで作業する場合には、ユーザはセキュリティのために第２のモードで作業することができる（より大きなディスプレイ１６ａ及びキーボード１４ａ又は他のユーザ入力装置を備える向上したインターフェースを享受しながら）。
【００１６】
何れのモードでも、ＰＤＡ１２上のデータへのアクセスはリアルタイムで行われる。装置が同期するのを待つ必要はない。
【００１７】
図２に示されるように、本発明は、車両２０にも実装され得る。車載システム１０ｂは、ディスプレイ１６ｂ（例えばタッチスクリーンディスプレイ等）、ユーザ入力装置１４ｂ（例えばボタン、ジョイスティック等）を有する。車載システム１０ｂはまた、ユーザ音声認識、ユーザ音声コマンド及びシステム１０ｂからの音声フィードバックが提供され得るようにマイクロホン２６及びスピーカ２８を有してもよい。この態様で、ユーザは、車両２０内のシステム１０ｂでＰＤＡ１２にアクセスし且つ制御することができる。ユーザは、図１に関連して上に記載されたものに類似する態様で、ユーザ入力装置１４ｂでＰＤＡ１２を制御し、且つディスプレイ１６ｂでＰＤＡ１２からのデータを閲覧することができる。さらに、ユーザは、システム１０ｂにより処理され且つＰＤＡ１２に送信されるコマンドに変換される音声コマンドを与えることができる。ユーザはさらに、システム１０ｂの音声認識を使用してＰＤＡ１２により送信されるＥメール又はテキストメッセージをディクテーションすることができる。さらに、ＰＤＡ１２からの情報は、テキストから音声に変換され、且つスピーカ２８を介してシステム１０ｂによりユーザに読み上げることができる。システム１０ｂはまた、上記の第１又は第２のモードのいずれかで作動されられ得る。
【００１８】
図３は、ＰＤＡ１２及びコンピュータ装置１０（一般にはＰＣ１０ａ又は車載システム１０ｂを参照する）の構成要素を概略的に例示する。コンピュータ装置１０は、構成部品としてディスプレイ１６、ユーザ入力装置１４、スピーカ２８及びマイクロホン２６の少なくとも複数を有する（ＰＣ１０ａはまた、通常のようにスピーカ２８及びマイクロホン２６を有し、且つ上記の音声認識及びテキスト・ツー・スピーチ能力を有してもよい）。コンピュータ装置１０は、ＣＰＵ３２、メモリ３４及びインターフェース３６（例えばＢｌｕｅｔｏｏｔｈ通信回路及び／又はＵＳＢコネクタ等）を有する。メモリ３４は、ＣＰＵ３２により実行されると、本明細書に記載された機能を実行するコンピュータ命令を記憶する。
【００１９】
ＰＤＡ１２は、ディスプレイ３８及びユーザ入力装置４０（キー又はキーボード、タッチスクリーン、スクロールホイール等）を有してもよい。ＰＤＡ１２は、ＣＰＵ４２、メモリ４４及びコンピュータ装置４０のインターフェース３６への相補的なインターフェース４６を有する。ＰＤＡ１２は、スピーカ４８及びマイクロホン５０（例えば電話アプリケーション等のために）を含み、且つ少なくともデータ伝送及び好ましくは音声伝送のためにセルラ通信回路５２を有してもよい。連絡先、仕事、メール、メディア（音楽、映像、本、音声等）は、メモリ４４に記憶される。メモリ４４は、ＣＰＵ４２によって実行されると、本明細書に記載された機能を実行するコンピュータ命令を記憶する。
【００２０】
第１のモードにおいて、コンピュータ装置１０のメモリ３４内のソフトウェアは、ＰＤＡ１２のメモリ４４から情報を検索し、コンピュータ装置１０のメモリ３４にその情報を記憶し、それによりその情報はディスプレイ１６に表示され（且つ／又はスピーカ２８を介して読み上げられ又は再生され）且つユーザ入力装置１４（又はマイクロホン２６）で修正され得る。修正された情報は、メモリ４４に記憶し且つ／又はＰＤＡ１２により再送信する（例えばＥメール又は会談の依頼等）ためにＰＤＡ１２に送り戻されてもよい。
【００２１】
第２のモードの作動において、コンピュータ装置１０は、インターフェース３６を介してＰＤＡ１２のための「ダム」端末としてのみ動作する。コンピュータ装置１０は、ＰＤＡ１２からディスプレイ１６に表示する（又はスピーカ２８を介して読み上げ若しくは再生する）情報を受信し、且つコンピュータ装置１０は、ＰＤＡ１２のプロセッサ４２によって処理されるために、キーボード（又は他の入力装置）からの入力又は変換された音声コマンドをＰＤＡ１２に直接的に送信する。ＰＤＡ１２のプロセッサ４２は、メモリ４４に記憶された情報に作用する。このモードでは、コンピュータ装置１０にはユーザの情報は全く記憶されないので、それはより安全である。しかし、ユーザはコンピュータ装置１０のより増大した処理能力の利点を享受しない。これは、公共のコンピュータ装置１０又は他人のコンピュータ装置１０を使用するときに適切であろう。
【００２２】
いずれのモードにおいても、コンピュータ装置１０はまた、ＰＤＡ１２の電話機能を利用することができる（電話機能を備えるＰＤＡ１２に関して）。例えば、コンピュータ装置１０を使用して、ユーザはＰＤＡ１２に記憶された連絡先を利用し、且つ電話番号を選択することができる。電話番号は、その後、ＰＤＡ１２によってダイヤルされる。ユーザは、電話をかけて会話するために、コンピュータ装置１０のマイクロホン２６及びスピーカ２８を使用することができる。また、ＰＤＡ１２は、着信電話呼び出し（ディスプレイ１６に表示され又はスピーカ２８を介して読み上げられるる発呼者ｉｄ情報を有する）、着信Ｅメール又はｓｍｓ若しくはテキストメッセージ等をコンピュータ装置１０に通知する。
【００２３】
コンピュータ装置１０のインターネット接続がＰＤＡ１２のものよりも高速であれば、ＰＤＡ１２はまた、コンピュータ装置１０のインターネット接続５６を利用することができる。
【００２４】
特許の法律及び法律学の定めに従って、上記の例示的な構成は、本発明の好ましい実施形態を示すものとみなされる。しかしながら、本発明は、その精神又は範囲から逸脱することなく詳細に例示され且つ記載されたものとは別に実施され得ることに留意されるべきである。
【図１】
2010530572.tif 000003
【図２】
2010530572.tif 000004
【図３】
2010530572.tif 000005
【国際調査報告】
2010530572.tif 000006
2010530572.tif 000007
2010530572.tif 000008